Podtech/llm-jp-corpus-v4-ja_patent huggingface dataset:
(57)【要約】      （修正有）【課題】ナビゲーション装置に利用できるようにするために、道路データとともに属性にもとづく地図表示を行うことのできる、利便性の高い地図表示装置を実現する。【解決手段】道路で区画されるエリアを表示単位であるパーツ１、２、３、４とし、パーツデータとして各種属性を記憶部に記憶し、パーツに識別コードを付与し、識別コードか、属性のいずれかが入力されたときに、道路データとの関連においてパーツの形状と位置を表示部に表示する。【選択図】図１
2012027467.tif 000002
【特許請求の範囲】
【請求項１】
入力部、出力部、記憶部、中央処理部を備える地図表示装置において
道路で少なくとも一部が区画されるエリアを表示の単位であるパーツとして、住所、所在する施設、安全性、管理上の規制、レジャー、教育、ビジネス、生活などに関わる特性、その他の属性を前記パーツのパーツデータとして記憶部に記憶する手段を備え、前記パーツにナンバー、記号などの識別コードを付与するコード付与手段を備え、前記識別コードか、または前記属性のひとつが入力部に入力されたときに、前記パーツの形状と位置に関わるデータを前記識別コードや、または属性によって記憶部から検索し表示部に表示する表示手段を備えることを特徴とする地図表示装置。
【発明の詳細な説明】
【技術分野】
【０００１】本発明はナビゲーションシステムに関わる地図表示装置に関する。
【背景技術】
【０００２】従来の技術はエリアの属性を表示するうえで、道路に関わる表示上の単位化と連係がなく、ナビゲーション装置に利用することができなかった。
【発明が解決しようとする課題】
【０００３】ナビゲーション装置に利用できるよう道路データとともに属性にもとづく地図表示装置にすること。
【課題を解決するための手段】
【０００４】道路で区画されるエリアを表示単位であるパーツとし、パーツデータとして各種属性を記憶部に記憶し、パーツに識別コードを付与し、識別コードか、属性のいずれかが入力されたときに、道路データとの関連においてパーツの形状と位置を表示部に表示する。
【実施例】
【０００５】以下に、本発明の実施例を添付図面にもとづいて説明する。
図１において１、２、３、４、はパーツ。５は施設。
道路で区画されるエリアを表示単位のパーツとする。
河川、水路、山野、鉄道、壁、その他の物理的区画も道路と同様に扱う。ただし少なくとも一部が道路によって区画されていることが例としては多い。
物理的に独立した施設や建造物も同様とする。道路によって区画されていることによって表示単位となりナビゲーション装置における一般的利用が可能になる。道路データが要素になることによってパーツの形状と位置が定まる。
住所、パーツに所在する施設、管理上の規制、レジャー関連の施設、名所、旧跡、美術館、図書館、博物館などの教育施設、ビジネス関連の施設、児童の安全その他のパーツの属性をパーツデータとし記憶部に記憶する。
各属性を入力部によって入力したときに、当該属性を有するパーツを検索するための手段として各属性とパーツの識別コードを相互に検索可能なデータ構成とし、中央処理部は検索手段を備える。
パーツの識別コードが入力部によって入力されたときに、識別コードに各属性の検索コードを付与するか、各属性をデータとして、パーツの各識別コードに付与するデータ構成として記憶部に記憶する。【０００６】典型的な一般的属性は属性と属性の検索コードを単純化してデータをシンプルにし、一般的でない属性は別の記憶部に記憶し、パーツの識別コードをこれに付与して検索する。
追加的に新規にパーツに属性を付与するときは、属性または属性の検索コードをパーツの識別コードとともに記憶部に記憶するように入力し新規にデータとして記憶部に記憶する。
パーツの識別コードが入力されたときは記憶部に記憶される当該パーツの位置と形状データを記憶部から検索し、当該地域の表示座標上にパーツの形状と位置を表示する。表示されたパーツをカーソルまたはタッチパネルで指示したときに、当該パーツの名称や住所、電話番号、その他の特徴などの属性を表示画面に表示し、また音声によっても出力する。
属性が典型的属性であるときは属性に検索コードを付与し、当該検索コードが入力されたときに当該属性を備えるパーツを検索し表示する。
属性が入力されただけでは、当該属性に該当する全てのパーツが検索されるので、地域、住所に関する属性を共に入力することが望ましい。
識別コードか属性が入力されると（ステップ１）、パーツデータが検索・演算され（ステップ２）、表示部にパーツが表示される（ステップ３）。【０００７】例として、国名、県名、町名、その他の地域を特定する名称をパーツの属性として共に入力する。
パーツに施設が所在し、施設が属性として入力されたときは当該パーツに施設の位置を表示する。
【発明の効果】
【０００８】道路データとの関連においてエリアの属性にもとづいたパーツ表示が可能になり、ナビゲーションでの実用性が向上する。
【図面の簡単な説明】
【０００９】
【図１】本発明の表示例
【符号の説明】１  パーツ１
２  パーツ２
３  パーツ３
４  パーツ４
５  施設
【図１】
2012027467.tif 000003
(57)【要約】【目的】薄型モニター背面のデッドスペースに設置出来る、モニター一体型コンピューターと、ほぼ同等になる、パーソナルコンピューター。【構成】  （図２）パーソナルコンピューター本体（３）の左右に、Ｌの形をした、足（５）（６）を設ける、又は、（図４）パーソナルコンピューター本体（３）の左右に、足（７）（９）を背面中央に足（８）を設け、（図１）薄型モニターの背面に本発明のパーソナルコンピューターを設置する。【選択図】図１
2012027886.tif 000002
【特許請求の範囲】
【請求項１】
（図２）パーソナルコンピューター本体（３）の左右に、Ｌの形をした、足（５）（６）を設ける、又は、（図４）パーソナルコンピューター本体（３）の左右に、足（７）（９）を背面中央に足（８）を設け、（図１）薄型モニターの背面に本発明のパーソナルコンピューターを設置する。
以上のように構成された、足つきパーソナルコンピューター。
【発明の詳細な説明】
【産業上の利用分野】
【０００１】本発明は、パーソナルコンピューターに関する。
【背景技術】
【０００２】  従来のモニター一体型コンピューターは、モニターの内部にコンピューターの主要部品を組み込んでいた為、薄型モニターの取替えは出来ない。
【発明が解決しょうとする課題】
【０００３】  薄型モニター背面のデッドスペースの有効利用と、パーソナルコンピューターと薄型モニターを接近して設置するのでモニター一体型コンピューターと、ほぼ同等になる。
【問題を解決するための手段】
【０００４】  （図２）パーソナルコンピューター本体（３）に、Ｌの形をした、足（５）（６）を設ける、又は、（図４）パーソナルコンピューター本体（３）に、足（７）（８）（９）を設け、（図１）薄型モニターの背面に本発明のパーソナルコンピューターを設置する。
【作用】
【０００５】  パーソナルコンピューターと薄型モニターを接近して設置するのでモニター一体型コンピューターと、ほぼ同等になる。
【実施例】
【０００６】  以下、本発明の実施例について説明する。
（図２）パーソナルコンピューター本体（３）に、Ｌの形をした、足（５）（６）を左右に設け２本足に、又は、（図４）パーソナルコンピューター本体（３）に、足（７）（９）を左右に足（８）を背面中央に設け３本足にする、（図１）薄型モニターの背面に本発明のパーソナルコンピューターを設置する。
【発明の効果】
【０００７】  本発明は、以上のような構成でこれを利用したパーソナルコンピューターは、薄型モニター背面のデッドスペースの有効利用と、パーソナルコンピューターと薄型モニターを接近して設置するのでモニター一体型コンピューターと、ほぼ同等になる。
【図面の簡単な説明】
【図１】  本発明のＬ形の足が２本付いたパーソナルコンピューターと薄型モニターの左側面図
【図２】  本発明のＬ形の足が２本付いたパーソナルコンピューターの斜視図
【図３】  ３本足が付いたパーソナルコンピューターの左側面図
【図４】  ３本足が付いたパーソナルコンピューターの斜視図
【符号の説明】（１）薄型モニター
（２）光ディスクドライブ
（３）パーソナルコンピューター本体
（４）薄型モニター用スタンド
（５）パーソナルコンピューター左のＬ形の足
（６）パーソナルコンピューター右のＬ形の足
（７）パーソナルコンピューター左の足
（８）パーソナルコンピューター背面中央の足
（９）パーソナルコンピューター右の足
【図１】
2012027886.tif 000003
【図２】
2012027886.tif 000004
【図３】
2012027886.tif 000005
【図４】
2012027886.tif 000006
(57)【要約】【課題】  居酒屋などのキープボトル管理システム及び専用端末機器を提供する。【解決手段】  氏名、ボトルナンバーとブランド、ボトル残量、年齢、住所、電話番号、職業、趣味、特徴などの基本欄を設け、キープ登録日の自動設定、キープ期限の設定と無期限顧客の設定、期限切れ前一定時期に、アドレス欄の氏名を点滅表示、期限切れの一覧表示、一覧表の一括消去、さらにＳＤカードの機能を具備したのを特徴とするキープボトル管理システム及び専用端末機器である。【選択図】図２
2012027884.tif 000002
【特許請求の範囲】
【請求項１】
顧客のキープボトル利用に関し、氏名、ボトルナンバーとブランド、ボトル残量、年齢、住所、電話番号、職業、趣味、特徴など顧客情報の基本欄を設け、キープ登録日の自動設定、キープ期限の設定と無期限顧客の設定、期限切れ前の一定時期に、アドレス欄の氏名を点滅表示、期限切れの一覧表示、一覧表の一括消去、さらにＳＤカードの機能を具備したのを特徴とするキープボトル管理システム及び専用端末機器。
【発明の詳細な説明】
【技術分野】
【０００１】  本発明は、キープボトルを管理するシステムと端末機器に関する。
【背景技術】
【０００２】  従来、居酒屋やスナックなどでは、顧客のキープボトルはノートを使った手書きによって管理していた。しかし、ある程度に顧客が増えると、ノートでの整理、管理は容易でなかった。チエーン店などでは、会員カードを発行してボトル残量をチエック（例えば特許文献１参照）する方法などがあった。
【先行技術文献】
【特許文献】
【０００３】
【特許文献１】特許公開２００６−２８５５５１
【発明の概要】
【発明が解決しようとする課題】
【０００４】  しかし、これらは複数のチエーン店など対象にしたシステムで、大多数を占める単独規模の店で手軽に利用するには難点があった。
本発明は、顧客とのコンタクトを大切にし、キープボトルの管理を、携帯電話の操作感覚で、能率よく運営できるキープボトル管理システム及びその専用端末機器を提供するものである。
【課題を解決するための手段】
【０００５】  顧客のキープボトル利用に関し、氏名、ボトルナンバーとブランド、ボトル残量、年齢、住所、電話番号、職業、趣味、特徴など顧客情報の基本欄を設け、キープ登録日の自動設定、キープ期限の設定と無期限顧客の設定、期限切れ前の一定時期に、アドレス欄の氏名を点滅表示、期限切れの一覧表示、一覧表の一括消去、さらにＳＤカードの機能を具備したのを特徴とするキープボトル管理システム及び専用端末機器である。
【発明の効果】
【０００６】  この端末機器を利用すれば、入ったばかりのアルバイトでも、ボトル棚の整理が容易に出来る。
顧客の応対に際し、ボタン一つでお客の情報を確認でき、顔と名前が覚えやすく、名前で呼びかけできるほか、自動更新された前回の来店日から「何日ぶりですね」といったお客との会話もスムーズに進められるため、お客には、自分のことを覚えていてくれた、という満足感を持ってもらえ、固定客となる効果が高くなる。
【図面の簡単な説明】
【０００７】
【図１】  本発明の端末機器の想定図
【図２】  本発明のボトル残量表示図
【発明を実施するための形態】
【０００８】  本発明のキープボトル管理システムは、お客と周りの状況によって、その場で端末機器図１に直接入力するか、ノートなどにいったんメモして、閉店後入力整理することが出来る。基本欄には、氏名、ボトルナンバーとブランド、ボトル残量、年齢、住所、電話番号のほかに、顧客の髪型やメガネの有無などの特徴、職業、趣味などの情報を入力する。
キープ登録日は自動設定され、キープ期限の設定、無期限顧客の設定が同時に行える。
また再来客には、ボタンクリックにより瞬時に自動更新できる。
ボトルと目盛りを組み合わせたボトル残量表示図２、期限切れ前には、週間単位で顧客を表示し、アドレス欄の氏名を点滅表示する。
この表示に基づき顧客にＤＭなどで情報を案内する。
キープ期限切れの一覧表示と一覧表の一括消去の機能、さらに機器の落下などの事故に備え、データーを保存できるＳＤカード機能を具備したのを特徴とするキープボトルの管理システム、及び専用端末機器である。
【図１】
2012027884.tif 000003
【図２】
2012027884.tif 000004
(57)【要約】      （修正有）【課題】靴底の溝に異物が詰まらずかつ靴が滑らないものとする。【解決手段】靴底の溝の凹にあたる部分を凸の部分よりも軟らかい物でうめて、底を平滑にする。【選択図】図２
2012035017.tif 000002
【特許請求の範囲】
【請求項１】
靴底のパターンを硬度の異なる物で組む。
【発明の詳細な説明】
【技術分野】
【０００１】  本発明は、異物が詰まらない靴底に関するものである。
【発明の概要】
【発明が解決しようとする課題】
【０００２】  靴底の溝を靴底と同程度の硬さの物でうめると、異物は詰まらないが滑りやすくなる。
【課題を解決するための手段】
【０００３】  靴底よりも軟らかい物で溝をうめる。
【発明の効果】
【０００４】  靴底に溝がないので異物が詰まらない。軟らかい物との組み合わせで靴底のパターンを作るので、軟らかい部分が地面との摩擦力を高めて滑りづらくなった。
【図面の簡単な説明】
【０００５】
【図１】  改行平面図
【図２】  改行断面図
【発明を実施するための形態】
【０００６】  靴底の滑り止めのパターンを異なる硬さの物で組み合わせ平面にする。
【産業上の利用可能性】
【０００７】  靴底に異物が詰まらないので、消毒する時に溝に詰まった異物を除去する必要がなく簡便である。
【図１】
2012035017.tif 000003
【図２】
2012035017.tif 000004
(57)【要約】【課題】  パンプスを履きかえる時、同じ踵パットを使えるように、踵パットの踵中心にストレッチ素材のカバーを設け、取り外し及び付け替え可能パンプス踵パッドを提供する。【解決手段】  衝撃吸収素材の踵パッド（１）にストレッチ素材のカバー（２）を設け、カバーにシリコーン素材のズレ防止テープ（３）を設けた取り外し及び付け替え可能パンプス踵パッドを特徴とする。【選択図】図４
2012035015.tif 000002
【特許請求の範囲】
【請求項１】
衝撃吸収素材の踵パッド（１）にストレッチ素材のカバー（２）を設け、カバーにシリコーン素材のズレ防止テープ（３）を設ける。
本発明は、以上の構成よりなる取り外し及び付け替え可能パンプス踵パッドである。
【発明の詳細な説明】
【技術分野】
【０００１】  この発明は、靴の踵パッドの一部にストレッチ素材の生地を使用し、取り外し及び付け替えが可能なパンプス専用の踵パッドに関するものである。
【背景技術】
【０００２】  従来、パンプス及び靴の踵パッドは、靴の踵部分内部に粘着テープで、靴そのものに直付けになっていた。
【発明の開示】
【発明が解決しようとする課題】
【０００３】  これは、次のような欠点があった。
従来、パンプス及び靴の踵パッドは、靴そのものに粘着テープで直付けになっており、靴内部接着部分の踵部分を、粘着素材で汚し劣化させ靴を痛めていた。また新しい靴を購入する際は、改めて直付けの踵パッドを毎回買う必要性があった為不経済であった。
本発明は、以上のような欠点をなくすためにされたものである。
【発明が解決するための手段】
【０００４】  衝撃吸収素材の踵パッド（１）にストレッチ素材のカバー（２）を設け、カバーにシリコーン素材のズレ防止テープ（３）を設ける。
本発明は、以上の構成よりなる取り外し及び付け替え可能パンプス踵パッドである。
【発明の効果】
【０００５】  衝撃吸収素材の踵パッドをストレッチ素材のカバーで取りつけ一体になっているので、足のむくみ具合による細かな靴のフィット感の違和感による、踵パットの装着の有無を考えた時でも、取り外しが可能になる。
また、違うパンプスを履く際、従来のパンプスから取り外し付け替えて再度使用できるので、改めて踵パッドの購入の手間が省ける。衝撃吸収素材の踵パッドのストレッチ素材のカバーにシリコーン素材のズレ防止テープが装着されているので、従来の踵パッドとして使うのになんらさしつかえない。
【発明を実施するための最良の形態】
【０００６】  以下、本発明を実施するための最良の形態について説明する。
踵パッド（１）の踵中心に、ストレッチ素材のカバー（２）を縫い付けて設ける。
ストレッチ素材のカバー（２）は踵部分にあうように縦横伸びる素材で本来のパンプスの踵に合う形である。
ストレッチ素材のカバー（２）の内部踵部分には、シリコーン素材のズレ防止テープ（３）を装着する。
本発明は、以上のような構造である。
これを使用するときは、踵パッドと一体になったこの取り外し及び付け替え可能踵パッドを、パンプスのヒールからはめて踵パッドを靴の踵内部に入れて、踵が合わない靴や靴ずれがする靴など、様々なパンプスに何度でも取り外し付け替えればよい。
【図面の簡単な説明】
【０００７】
【図１】本発明の正面図である。
【図２】本発明の側面図である。
【図３】本発明の裏面図である。
【図４】本発明の斜視図である。
【符号の説明】
【０００８】１  衝撃吸収素材の踵パッド
２  ストレッチ素材のカバー
３  シリコーン素材のズレ防止テープ
【図１】
2012035015.tif 000003
【図２】
2012035015.tif 000004
【図３】
2012035015.tif 000005
【図４】
2012035015.tif 000006
(57)【要約】      （修正有）【課題】歯ブラシは、２，３ヶ月の使用によって毛先が曲がり、植毛基台の裏側からも毛先が見えるようになり、磨掃効果は減退する。植毛の曲がりを消費者自身で減菌と同時に矯正し、磨掃効果を復元し、一本の歯ブラシを長期間初期の状態で有効に使用しうる方法の提供。【解決手段】歯ブラシ販売時に適合するキャップを兼ねる整形器を付属品として添付し、数週間使用して毛先の曲がった歯ブラシヘッドに整形器兼キャップを被せ、１０秒乃至２０秒位煮沸する。また、今まで製作が困難だった外側列有傾の歯列を挟んで磨く歯ブラシも、パーテングラインに垂直に植毛孔を設け、中央列孔に短く、外側列孔に長く植毛した後に、本方法を用いると容易に外側列植毛が内側に傾いた歯列を挟んで磨く歯ブラシが得られる。【選択図】図３
2012035036.tif 000002
【特許請求の範囲】
【請求項１】
行と列の植毛束上のなる植毛叢を有する歯ブラシを数週間使用し、植毛の毛先が外側に曲がり、磨掃効果が減退した歯ブラシを、該ブラシに適合し、内部に成型凸条を有するキャップに収め、数十秒煮沸する歯ブラシ整形法。
【請求項２】
歯ブラシ躯体成型時に、全植毛孔をパーテングラインに垂直に穿孔し、中央列植毛孔に短く、外側列植毛孔に長く植毛した歯ブラシを、内部に整形凸条を有するキャップに収め、沸騰した湯に短時間浸漬するか、１００℃前後の空洞内に数分間留置する歯ブラシの消毒を兼ねた整形法。
【発明の詳細な説明】
【技術分野】
【０００１】  本発明は、日常大多数の人が使用する歯ブラシのうち、行と列からなる植毛叢を有する歯ブラシは、１、２ヵ月の使用で植毛の毛先が外側に曲がり、磨掃効果は減退する。メーカーも歯ブラシの裏側から毛先が見えるようになったら買い換えるように勧奨していて、消費者も当然のように２、３ヶ月で新しい歯ブラシを買い換えている。
本発明は、植毛の曲がりを消費者自身で減菌と同時に矯正し、磨掃効果を復元し、一本の歯ブラシを長期間初期の状態で有効に使用し得るようにする技術分野に属する。
【背景技術】
【０００２】  歯ブラシは大別して、植毛面に垂直にほゞ均等の長さの毛を植毛したものと、極少数ではあるが、中央列植毛を垂直に短く、外側列植毛を垂直又は内側に傾斜させて長く植毛し、歯列を挟むようにして磨く、所謂歯列を挟んで磨く歯ブラシがある。
全植毛束を垂直に植え、均等な長さに植毛したものは製作が容易なので廉価で供給し得るが、歯列を挟んで磨く歯ブラシは磨掃効果は大きいが、現在の製造法では困難が伴い、廉価で供給し得ない。【０００３】  廉価で供給し得ないならば、可使用期間を長くすることができれば消費者の理解は得られるとして、本歯ブラシ整形法は発明された。
【発明の開示】
【発明が開発しようとする課題】
【０００４】  植毛方法の如何によらず、いずれの歯ブラシも毛先は数十日の使用によって、必然的に毛先が歯列から横に広がるように曲がる。各歯ブラシメーカーは曲がったら買い換えるように奨めている。
【０００５】  又、使用後の歯ブラシには口中に残った食べ滓が移り、毛の間に挟まり、洗滌しても無菌状態に洗うことは不可能で、雑菌は食べ滓を栄養源として次回使用までの間、湿気を含んでいれば繁殖し続ける。紫外線減菌器なども市販されているが、高価であり、安全性や効果の程は定かでない。
【課題を解決する為の手段】
【０００６】  本発明は、図１のように中央列植毛を短く、有傾の外側列植毛を長く植毛した所謂歯列を挟んで磨く歯ブラシが２，３ヶ月の使用で図２のように毛先が曲がっても矯正し得るように発明したもので、他の形の歯ブラシでもその歯ブラシに合ったキャップが用意できれば応用し得るが、此処では歯列を挟んで磨く歯ブラシの整形についてのみ記述する。
【０００７】  図１のような新しく購入した歯ブラシも、２，３ヶ月使用すると使い方によらず殆ど図２のようになって仕舞う。歯ブラシ購入時には付属品として添付されている歯ブラシキャップ兼整形器図３の点線で示す整形凸条３，３´を有する空隙部に入れ、２０秒位減菌を兼ねて沸騰し、冷却すれば植毛の材質がナイロン、飽和ポリエステルのいずれでも購入時の形に戻る。
【０００８】  当初の課題ではないが、前記の解決手段を用いると、普通の歯ブラシと同じ製法で図４のように全植毛孔を金型のパーテングラインに垂直に穿孔し、中央列植毛を短く外側列を長く植毛した歯ブラシを図３のキャップに嵌めて、前記のように煮沸乾燥するか、１００℃位に保つ雰囲気内に数分間留置し、其の儘冷却すれば、出荷時の消毒を兼ねることが出来、簡易な方法で図１と同じ形の有傾植毛を有する歯列を挟んで磨く歯ブラシが得られる。
【発明の効果】
【０００９】  述上のようにして、毛先の曲がりが直った歯ブラシは新品同様の感触で使用でき、整形キャップも紛失しないよう、歯ブラシ躯体のネック部に取り付けられるようにしてあるので、１，２週間に一度くらいの割合で滅菌を兼ねた本整形法を行えば、常に新品同様の使用感触で年単位の長期使用が可能である。
【図面の簡単な説明】
【００１０】
【図１】本歯ブラシ整形法を実施しようとする歯ブラシの使用前のヘッド部のよこ断面図。
【図２】［図１］の歯ブラシを２〜３ヶ月使用した外側列植毛の毛先の変化を示す図。
【図３】歯ブラシ販売時に添付するキャップ兼整形器に整形せんとする一点鎖線で示す歯ブラシを収容した側面図。
【図４】全植毛孔を歯ブラシ躯体成型時に垂直に穿孔し中央列を短く外側列を長く植毛したヘッド部のよこ断面図。
【符号の説明】
【００１１】１        蝶番
２        フック
３、３´  成型用凸条
【図１】
2012035036.tif 000003
【図２】
2012035036.tif 000004
【図３】
2012035036.tif 000005
【図４】
2012035036.tif 000006
(57)【要約】【課題】  従来のゴルフに関係するノートはスコアカードの様にラウンドの結果を記入する物に限られていた為、練習場にて使用する事は出来なかった。【解決手段】  ノートに架空や実在のコースのイラストや写真のページ、クラブの選択、打球や球筋、飛距離などを記入出来るスペースを設ける事により、そのノートを利用して練習場などコース以外の場所でコースのラウンドを想定した効果的な練習をする事が出来る。【選択図】図２
2012035035.tif 000002
【特許請求の範囲】
【請求項１】
ゴルフ練習場にてボールを打つ際に、実際にコースをラウンドしている様に想定して飛球線や打球の詳細を簡易に記入出来るゴルフ用ラウンドノート。
【発明の詳細な説明】
【技術分野】
【０００１】  本発明は、ゴルフ練習場にて練習する際に、実際のコースでラウンドする事を想定してボールを打つ事が出来るノートに関する。
【背景技術】
【０００２】  従来のゴルフに関係するノートはスコアカードの様にラウンドの結果を記入する物や複数のスコアカードをまとめて記入出来るものがある。
【発明の概要】
【発明が解決しようとする課題】
【０００３】  従来のゴルフに関係するノートはスコアカードの様にラウンドの結果を記入する物に限られていた為、練習場にて使用する事は出来なかった。【０００４】  本発明はノートに練習場にて使用出来る機能を付加する事により、プレイヤーにコースのラウンドを想定した従来無かった効果的な練習の機会を提供する事を目的とするものである。
【課題を解決するための手段】
【０００５】  そして本発明は上記目的を達成する為に、ノートに架空や実在のコースのイラストや写真のページ、クラブの選択、打球や球筋、飛距離などを記入出来るスペースを設ける事により、練習場にてコースのラウンドを想定した効果的な練習を可能にしたものである。
【発明の効果】
【０００６】  上述したように本発明のゴルフ用ノートは、ページにコースイラストや写真を設けたり打球について詳細且つ簡易に記入出来るスペースを設ける事により、ゴルフのプレイヤーに実際のラウンドを想定させ楽しんで練習場でボールを打てる機会を提供出来る。
【図面の簡単な説明】
【０００７】
【図１】  ノートの上面図
【図２】  ノートの見開き図
【図３】  ノート使用図
【発明を実施するための形態】
【０００８】  以下、本発明の実施の形態を図１〜図３に基づいて説明する。
【０００９】  図においては、１はノート本体である。２はコースのイラスト又は写真である。３は打球についての詳細を記入する表である。
【実施例】
【００１０】  練習場で打った後の打球についての詳細を３の表に記入する。２のコースのイラスト又は写真に打球の飛球線を記入する。
【産業上の利用可能性】
【００１１】  ゴルフ練習場やゴルフスクール、ゴルフ場などが集客で利用する事が可能。
競技人口が減る方向にあるゴルフ業界に興味を持つきっかけとなる商品としての役割が期待できる。
【符号の説明】
【００１２】  １    ノート
２    コースのイラスト又は写真
３    打球の詳細を記入する表
【図１】
2012035035.tif 000003
【図２】
2012035035.tif 000004
【図３】
2012035035.tif 000005
(57)【要約】【課題】洗濯ハンガーの洗濯ばさみ間の幅が固定されていることで、洗濯物を干す際に皺になってしまった。  本発明は、洗濯ばさみをスライドさせることで洗濯物の幅に合わせることが可能とする洗濯ハンガーを提供する。【解決手段】洗濯ハンガーの洗濯ばさみをスライドさせることで洗濯ばさみ間の幅を可変にし、洗濯物の幅に合わせることができる洗濯ハンガー。【選択図】図１
2012035034.tif 000002
【特許請求の範囲】
【請求項１】
四角形状の外枠に取付棒を取付け、取付棒に洗濯ばさみを複数個取り付けた洗濯ハンガー。
【発明の詳細な説明】
【技術分野】
【０００１】  本発明は、洗濯ハンガーの洗濯ばさみをスライドさせることで洗濯物の大きさに合わせて調整できるスライド式洗濯ハンガーに関するものである。
【背景技術】
【０００２】  洗濯を洗濯ハンガーに吊るして干す際、ハンガーの洗濯ばさみ間の幅と洗濯物の幅が合わないと、洗濯物が乾いた際に皺になりやすい。
【先行技術文献】
【０００３】
【発明の概要】
【発明が解決しようとする課題】
【０００４】  洗濯物の幅と洗濯ハンガーの洗濯ばさみ間の幅が合わないと、洗濯物が皺になったり形が崩れてしまった。
本発明は、以上の問題を解決するためになされたものである。
【課題を解決するための手段】
【０００５】  四角形状の外枠に取付棒を取付け、取付棒に洗濯ばさみを複数個取り付けた洗濯ハンガー。
以上の構成よりなるスライド式洗濯ハンガー。
【発明の効果】
【０００６】  洗濯ハンガーの洗濯ばさみをスライド可能とすることで、洗濯物の幅に合わせることができるため、洗濯物が皺になりにくくなり、洗濯物をきちんと伸ばした形で干すことが可能となる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）洗濯ハンガー外枠（１）に一体化された洗濯ばさみ取付棒（２）に洗濯ばさみ（３）を装着する。
本発明は以上のような構造である。
本発明を使用するときは、洗濯物の両端を洗濯ばさみ（３）でははさんだ後、選択物の幅にあわせて洗濯ばさみ（３）を洗濯ばさみ取付棒（２）内で自由にスライドさせることで洗濯物が皺にならないように固定する。
【符号の説明】
【０００９】  １洗濯ハンガー外枠
２洗濯ばさみ取付棒
３洗濯ばさみ
【図１】
2012035034.tif 000003
【図２】
2012035034.tif 000004
(57)【要約】【課題】  本発明は洗い流し布に石鹸の入る袋を数個設けた背中洗い布。【解決手段】手ぬぐい大の布を、内側に四つ折にして折り目を綴じ縫いし、出来た長尺袋を石鹸が入る位の袋を数個作り、石鹸を入れて使う背中洗い布。【選択図】図１
2012035033.tif 000002
【特許請求の範囲】
【請求項１】
長尺の石鹸を入れる袋を石鹸が入る位のサイズ数個を作る仕切りで構成した石鹸を入れて使う背中洗い布。
【発明の詳細な説明】
【技術分野】
【０００１】本発明は体の背中を洗うための背中洗い布に関するものである。
【背景技術】
【０００２】従来体を洗い流すのに、布に石鹸を何度もなすりつけて、使用しなければならない。
【発明の概要】
【発明が解決しようとする課題】
【０００３】従来体を洗い流すのに、布に石鹸を何度もなすりつけ無ければならず、体の洗い流すのが楽に出来なかった。
【発明を解決する為の手段】
【０００４】上記欠点を解消するため本発明は、体を洗い流す布に石鹸が入るくらいの、小さな袋を数個設けた背中洗い布である。
【発明の効果】
【０００５】布の長い方向を内側に四つ折りにして、長尺の袋を作りそれを、石鹸が入る位の大きさに数か所仕切り、必要な所に石鹸を入れるので、何度も石鹸をなすり付ける事無く、洗い流す事が出来る。
【図面の簡単な説明】
【０００６】
【図１】本発明の長尺の袋を仕切った平面図である。
【図２】本発明の石鹸を入れた状態の断面図である。
【発明を実施するための形態】
【０００７】以下、本発明の実施の形態について説明する。
長尺の袋を作ったところの折り目を、綴じ縫い（２）して、それを石鹸が入るくらいに仕切り縫い（１）をし、小さな袋を数個設ける（３）。
【符号の説明】
【０００８】１  石鹸の入るくらいの仕切り  ２  綴じ縫い  ３  石鹸を入れる袋  ４  石鹸
Ａ  背中洗い布
【図１】
2012035033.tif 000003
【図２】
2012035033.tif 000004
(57)【要約】      （修正有）【課題】対戦カードゲームの複雑なルールをサイコロを使用することにより、年齢の高低を問わず容易にプレイできる対戦型サイコロカードゲームを提供する。【解決手段】キャラクタカードとサイコロを使用し、相互にサイコロをふった目の指示に従い相手プレイヤのＨＰ（体力数）を削るシンプルなゲーム性のため、比較的年齢の高低を問わず容易にプレイでき、相手のＨＰ（体力数）を０にした者が勝ちで、そのプレイヤの勝った枚数、又は残った枚数によって勝敗を決める。【選択図】図４
2012035026.tif 000002
【特許請求の範囲】
【請求項１】
キャラクタカード（対戦カード）及びサイコロを用いて対戦する対戦型サイコロゲーム。
【発明の詳細な説明】
【技術分野】
【０００１】本発明はキャラクタカード（対戦ゲーム）及びサイコロゲームに関する。
【背景技術】
【０００２】従来のサイコロゲームは、年齢高低なく容易にゲームできる利点がある。
【非特許文献】増川広一著「ゲーム博物誌」ＴＵＲＴＬＥＢＯＯＫＳ  Ｐ５４，７４
【発明の開示】
【発明が解決しようとする課題】
【０００３】従来のキャラクタカード（対戦ゲーム）は、若者の支持があり戦略的要素が高いその反面ルールが難解で年齢の高い者には受け入れづらくなっている欠点がある。
【課題を解決するための手段】
【０００４】本発明は、従来のキャラクタカード（対戦カード）及びサイコロを併用することにより、ゲーム性をシンプルにすることに老若男女楽しむ事ができ、上記の課題を解決する。
【発明の効果】
【０００５】本発明は、若者に支持あるキャラクタカード（対戦カード）と、サイコロの特性をいかすことによってゲーム性を高めることが出来る。【０００６】本発明は、従来のキャラクタカード（対戦カード）と違い難解ではなく、均等に配られたカードの図１の示されている５の各キャラクタ性質に示される１〜６のサイコロの目の指示に従い相手プレイヤのＨＰ（体力数）を減らし０ポイントにすることにより勝敗を決め相互にサイコロを振り、サイコロの目の指示に従うというシンプルなもので年齢層の高低に関係無くプレイできる。【０００７】本発明は、図１の３（サイコロの目数）を１〜１２等と自由に増やすことができ各キャラクタの性質とゲーム性を高めることができる。【０００８】本発明は、枚数を増減することによりゲーム所要時間を短縮することができる。
【発明を実施するための最良の形態】
【０００９】本発明の対戦型サイコロカードゲームは、図１に示されるように１、キャラクタ図  ２、キャラクタ名称３、１〜６又は１〜１２のサイコロの目数の指示（攻撃、回復、必殺技、特殊能力、特殊攻撃等）４、ＨＰ（体力数）等設け５、特殊能力とそれにおけるポイント６、必殺技とそれにおけるポイントを設けている。【００１０】本発明は、従来のキャラクタカードと違い、カードを組み立てた戦略的なゲームではなくサイコロを相互に使用し、そのサイコロの目数の指示によってキャラクタの性質を生かし、相手のＨＰ（体力数）を削り、勝敗を決める。【００１１】本発明は、図２に示されるようにカードを均等に配り、先攻後攻を決め、お互い伏せてあるるカード中から１枚選び、表にしてから、ゲームが始動され先攻プレイヤからサイコロを転がすことができる。【００１２】本発明は、お互いの各キャラクタの性質を使い、サイコロの転がした目１〜６、１〜１２の指示に従い、相手プレイヤに攻撃、特殊攻撃もしくは特殊能力によるダメージ及び特殊効果をあたえ、図４に示される特殊能力及び必殺技で自分に対して回復、攻撃を高める事もできる。【００１３】本発明は、ゲームで使用するＨＰ（体力数）を容易に把握するために、図５に示されるようにＨＰ（体力数）カードを使用することができ数値の上限は自由に選択できる。
【図面の簡単な説明】
【００１４】
【図１】本発明のカードの平面図
【図２】本発明に係るプレイ説明図
【図３】本発明に係る指示における説明図
【図４】本発明に係る指示における説明図
【図５】本発明に係るＨＰ（体力数）カード平面図
【符号の説明】
【００１５】１、キャラクタ図
２、キャラクタ名称
３、サイコロの目数と指示
４、ＨＰ（体力数）
５、特殊能力とそれにおけるポイント
６、必殺技とそれにおけるポイント
【図１】
2012035026.tif 000003
【図２】
2012035026.tif 000004
【図３】
2012035026.tif 000005
【図４】
2012035026.tif 000006
【図５】
2012035026.tif 000007
(57)【要約】      （修正有）【課題】外出時にすぐ座りたくなるお年寄り、外出先の堅い椅子でお尻の痛くなる人が、散歩・ハイキング・コンサート・イベント見物・スポーツ観戦等に使用できる座布団の提供。【解決手段】本体にウレタンを使用しているので軽く柔らかく握力の弱いお年寄りの手になじみやすく使用後は丸めたり半分に折ったりし、二重部分の布をひっくり返しながら本体を包み込む簡単に小さくなるのでバッグの中に入れられ、バッグ内の他の物のクッション役にもなる。広げた状態の二重部分に使い捨てカイロ・保冷剤を収納することもできる。【選択図】図４
2012035021.tif 000002
【特許請求の範囲】
【請求項１】
本発明は、外出時にすぐ腰かけたくなるお年寄り、外出先の堅い椅子でお尻の痛くなる人、イベント見物・スポーツ観戦・お散歩・ハイキング等にパッと広げるだけでふくらます手間もいらず、使用後は丸めたり、半分に折って二重の上部の布をひっくり返すと同時に本体をクルッと包み込むだけでケースも不要で収納でき、また広げた状態で二重部分の布の間に、冬は使い捨てカイロ、夏は保冷材を収納することもでき、ウレタン材質でコンパクトになる商品のため、バッグの隅につっこめる簡単『お出かけマイ座布団』であるが、本体のサイズ・カバー用の布の素材は限定していない。
【発明の詳細な説明】
【技術分野】
【０００１】  本発明は、パッと広げてクルッと包む、カイロもジェルも収納できる『簡単お出かけマイ座布団』に関するものある。
【背景技術】
【０００２】  携帯クッション、座布団は、安価な品から高級品まで数多くの種類が市販されている。クッション性、柔軟さ、軽量、取扱いやすさ、手頃な価格等を検討し、特に年配者向きに考慮した製品である。
【発明の概要】
【発明が解決しようとする課題】
【０００３】  １）  屋外（散歩、ハイキング、野外コンサート、スポーツ観戦）等外出先で堅い椅子などに腰かけた時にすぐお尻が痛くなる（筋力の衰えたお年寄り）。
２）  屋外でのポーツ観戦・イベント見物中に急な天候の変化があっても、気軽に暖をとったり涼を得られるものがなかなか無かった。
３）  折りたたみチェアなどは握力の低下したお年寄りには、扱い難いことがある。
４）  たたんで収納する際のケースは外で紛失してしまいがちだが、ないと収納の際に不便である。
本商品は、これらの問題を解決するものである。
【課題を解決するための手段】
【０００４】１）本商品は、屋外での散歩・ハイキング・コンサート鑑賞・スポーツ観戦等の外出先で堅い椅子に腰かけるとすぐにお尻の痛くなる人が使用すると、素材が柔らかいため痛くなりにくい。
２）カバー表面の二重部分に冬は使い捨てカイロ、夏は保冷剤を入れることにより心地よい体感温度を維持することができる。
３）ウレタンは軽く柔らかく手になじみやすく、握力不足の子供・高齢者でも扱いやすい素材であり、使用するときはパッと広げてまたは折りたたんで使用し、使わないときは丸めたり半分に折って二重部分の布を使用して本体をクルッと包みこみ簡単に小さく収納しやすくできる商品である。
４）二重部分の布をひっくり返して本体を包み込むため、収納用のケースは不要であり、ケースを紛失する心配がない。
【発明の効果】
【０００５】  本商品はパッと広げてクルッと包む、使い捨てカイロも保冷剤も収納できる簡単『お出かけマイ座布団』はパッと広げるだけでふくらます手間もいらず、使用後は丸めたり、半分に折って二重部分の布を利用し、上部の布を裏返すと同時に本体をクルッと包み込むだけで簡単に小さくまとめられ、ケースも不要でそのままバッグに入れられる。ウレタンの素材は薄くなり、バックの隙間を上手に埋める役目もある。
また、二重部分に使い捨てカイロ、保冷剤を収納することにより、心地よい体感温度を維持することができる。
ただし、ウレタン素材を長持ちさせるため、使用後は室内で広げた状態で保管することが好ましい。
【発明を実施するための形態】
【０００６】以下、本発明の実施の形態を説明する。
【図面の簡単な説明】
【図１】本体ウレタン  役３０ｃｍ四方  厚さ約２ｃｍ  １枚
【図２】伸縮性のある布  中約４０ｃｍ  長さ約９０ｃｍ  １枚  材料以上  広げた図は長さ９０ｃｍの布でウレタンをくるんだ図。布の片端約５ｃｍ幅でウレタンの端に載せ、残りの布でぐるっとウレタンをくるみ、余った布を最後に折り返しウレタン中央部まで持ってくる。この折り返しが収納時にウレタンを包む布（ケース代わり）となる。広げた状態ではここに使い捨てカイロ、保冷剤を収納する場所となる。次に両サイドを縫う。初めの５ｃｍの布の部分は洗濯時にウレタンの出し入れ口となり、縫わない。
【図３】二重の布で丸めた本体をくるんだ図
【図４】二重の布で半分に折った本体をくるんだ図
【図１】
2012035021.tif 000003
【図２】
2012035021.tif 000004
【図３】
2012035021.tif 000005
【図４】
2012035021.tif 000006
(57)【要約】【課題】  浴室洗い場内を広く使用するための浴室用親子腰掛を提供する。【解決手段】浴室用腰掛（１）の内側に重ねて納める事のできる同腰掛（２）を設け、必要に応じて内部より取り出し使用する事が出来る浴室用親子腰掛。【選択図】図１
2012035027.tif 000002
【特許請求の範囲】
【請求項１】
浴室用腰掛の内側に二個目の同腰掛を重ねて納める事ができ、必要時にストッパーを引くことで取り出して使用する事が出来る浴室用親子腰掛。
【発明の詳細な説明】
【技術分野】
【０００１】  本発明は、浴室洗い場内において重ねて置くことができる浴室用腰掛に関するものであるである。
【背景技術】
【０００２】  従来、浴室内洗い場にて親子で体を洗う際は各一個の腰掛が必要になり、そのため絶えず複数の腰掛を置いて有った。
【発明の開示】
【発明が解決しようとする課題】
【０００３】  そのために次のような問題点があった。
狭い浴室洗い場などの場合、置いて有る複数の腰掛けは一人で体を洗う際などに邪魔になり煩わしかった。
本発明は以上の問題点を解決するためになされたものである。
【課題を解決するための手段】
【０００４】  浴室用腰掛（１）の内部に重ねて納める事ができるサイズの同腰掛（２）を設け、必要に応じて簡単に取り出して使用する事ができる。以上を特徴とした浴室用親子腰掛である。
【発明の効果】
【０００５】  浴室用腰掛（２）を同腰掛（１）の内部に納める事ができるため、洗い場を少しでも広く使用することができる。
【発明を実施するための最良の形態】
【０００６】  以下、本発明の実施の形態に付いて説明する。
（イ）浴室用腰掛（１）の内部に重ねて納める事ができるサイズの同腰掛（２）を設ける。
（ロ）浴室用腰掛（１）を持ち上げた際、内部に納まっている同腰掛（２）が勝手に滑り落ちないようにすることを目的としたストッパー（３）を風呂用腰掛（１）の側面に設ける。
本発明は以上のような構造で、これを使用するときは、浴室用腰掛（１）の側面に設けてあるストッパー（３）を引くことで、浴室用腰掛け（１）の内部に納まっている同腰掛（２）を取り出す事ができる。また浴室用腰掛け（２）を同腰掛（１）の内部に納めるには、浴室用腰掛（１）の側面に設けてあるストッパー（３）を引きながら同腰掛（２）を同腰掛（１）の下より重ねるように差し込む。
【図面の簡単な説明】
【０００７】
【図１】本発明全体の斜視図
【図２】本発明の内側に納めた状態の平面図
【図３】本発明ストッパーの拡大図
【符号の説明】
【０００８】    １  浴室用腰掛（１）
２  浴室用腰掛（２）
３  ストッパー
４  ストッパー受穴
【図１】
2012035027.tif 000003
【図２】
2012035027.tif 000004
【図３】
2012035027.tif 000005
(57)【要約】【課題】    壁面と床面の角部分に残る塵や埃を取残さない吸引ブラシを提供する。【解決手段】    前後左右可動式の縦軸ブラシ本体１２内部に動力源となるモーター８を収納設置し、吸引ブラシ本体１の角部分に一部露出した状態で設置していることで角部分に溜まるゴミや埃をブラシによって残らず吸引する。また、掃除中にブラシ本体を壁に当てる乱雑な扱いに対しても縦軸ブラシ本体が可動しブラシ本体内に入り込むことで縦軸ブラシの破損を防止している。【選択図】図４
2012035028.tif 000002
【特許請求の範囲】
【請求項１】
吸引ブラシ本体１に回転型の縦軸ブラシ本体１１を有することで壁と床が交わる直角部分にブラシ面が壁部分、床部分と直接接するため、直角部分に残るほこりを掻き取ることを特徴とする吸引ブラシ本体１である。
【請求項２】
請求項１において回転型の縦軸ブラシ本体１１は、壁面と接触する縦軸ブラシ上部２と、床面と接触する縦軸ブラシ下部３にてそれぞれ独立したブラシを接合し形成されていることを特徴とする吸引ブラシ本体１である。
【請求項３】
請求項１において縦軸ブラシ上部２の内部に固定型のモーター８を収納していることが特徴とする吸引ブラシ本体１である。
【請求項４】
請求項１において上下において縦軸ブラシ本体１１を固定しているアームが吸引ブラシ本体１側へ可動することで、外部圧力が掛っても縦軸ブラシを保護することを特徴とする吸引ブラシ本体１である。
【発明の詳細な説明】
【技術分野】
【０００１】  本発明は、掃除機の吸引ブラシに関するものである。
【背景技術】
【０００２】  一般に部屋を掃除する場合には、箒や掃除機を使用して掃除を行いますが、部屋にはそれぞれ角になる部分があるため、掃除機では吸引できないゴミが残り、箒で掃くなどしてゴミを取り除いている。それは掃除をする者にとっては二度手間であるため、本願は吸引効率の高い画期的なものを提案する。
【発明の開示】
【発明が解決しようとする課題】
【０００３】  従来、家庭内の部屋を掃除する場合、掃除機の吸引ブラシというと、吸引ブラシが床面に対して平行に設置されているため、床面のゴミは吸引できますが、壁面と床の角部分には僅かに吸引ブラシが当たらずゴミを吸引できない。それは吸引ブラシのどの面を使用しても角部分との間に隙間が出来てしまう問題がありました。
【課題を解決するための手段】
【０００４】  上記問題を解決するために、請求項１に記載の発明は、従来の横軸型回転ブラシ１２以外に吸引ブラシ本体１の角部分に回転型の縦軸ブラシ本体１１を本体より外側に出し設置することで、壁面及び床面の角部分に回転ブラシが密着していることを要旨とする。【０００５】  請求項２に記載の発明は、請求項１において、回転型の縦軸ブラシ本体１１はブラシ上部２とブラシ下部３に分かれていることを要旨とし、ブラシ上部２は壁面と接触しブラシ下部３は壁面及び床面と接触していることを要旨とし、ブラシ上部２及びブラシ下部３はそれぞれ接合できることを要旨とする。【０００６】  請求項３に記載の発明は、請求項１において、ブラシ上部２の内部に固定型のモーター８を収納し、ブラシ上部２及びブラシ下部３の動力源としており、吸引ブラシ本体１の角部分にそれぞれ設置されているブラシ内には、それぞれの独立した動力源でブラシを稼動させていることを要旨とする。【０００７】  請求項４に記載の発明は、請求項１〜３において、前記ブラシによって構成されブラシ上部及び下部本体を支える上部、下部それぞれのアーム部分が稼動することを要旨とする。
【発明の効果】
【０００８】  本発明によれば、吸引ブラシ本体１の角部分に縦軸型ブラシを設置することで角部分に溜まるゴミを確実に取り除き、掃除効率を向上することができる。
【発明を実施するための最良の形態】
【０００９】  以下、本発明を具体化した吸引ブラシの一実施形態を図面に従って説明する。
図１はこの実施形態の吸引ブラシ本体１の全体を示すように、本体の両側角部分には縦軸ブラシ本体１１が設置されているが、設置に当たりブラシ本体１１が前方及び側面側に露出している。【００１０】  図２に示すように縦軸ブラシ本体１１は側面部分においても壁面に密着し埃を吸引するよう露出している。又、ブラシ本体は、ブラシ上部２とブラシ下部３に分かれている。【００１１】  図３に示すように吸引ブラシ本体１の下部底面は、従来の横軸型回転ブラシ１２が設置されているが、横軸型回転ブラシ１２の左右に縦軸型ブラシ本体１１がそれぞれ設置されている。又、ブラシ下部３の中心にはブラシ上部・下部を接続するためのネジ穴が施されている。吸引ブラシ本体１１は掃除による前後の動きに対して床面を保護するためのローラー１３がある。【００１２】  図４に示すように縦軸ブラシ本体１１はブラシ上部２とブラシ下部３に分かれておりブラシ上部２は壁面のほこりやゴミをブラシの回転によって吸引するが、ブラシ下部３は壁面及び床面のほこりやゴミを吸引する。又、ブラシ下部３は角部分に接触する部分であるため、容易に交換ができるように上下ブラシ接合部１０は固定用ネジ４で固定されている。ブラシ上部２とブラシ下部３の間には、モーター８の回転による振動やブレを無くすためのブラシ下部固定アーム６があり、アーム６を貫通してブラシ上部２、ブラシ下部３は接続されている。【００１３】  前記ブラシ上部２の内部には動力源となるモーター８が収納配置されモーター８の動力をモーター、ブラシ接合部９で接合されている、さらにモーター８はブラシ上部固定アーム５に固定されておりブラシのみが回転する。又、モーター８と固定アーム５の間には上蓋７がありブラシ上部２に上蓋７をはめる事で、ほこりの侵入を防いでいる。【００１４】  次に、前記ブラシ上部固定アーム５、ブラシ下部固定アーム６には外部圧力を吸収し、前後左右に可動するショックアブソーバー１４ショックアブソーバー１５が設置されている。【００１５】  上記実施形態の掃除機の吸引ブラシによれば、下記のような特徴を得ることができる。【００１６】  たとえば角に溜まったゴミや埃をブラシによって吸引することができ、ゴミが残らず掃除が隅々まで行うことができる。
【図面の簡単な説明】
【００１６】
【図１】吸引ブラシ本体１の全体を示す図である。
【図２】吸引ブラシ本体１の側面図である。
【図３】吸引ブラシ本体１の吸引部分を示す下部平面図である。
【図４】図４は縦軸ブラシの断面図である。
【符号の説明】
【００１７】  １吸引ブラシ本体、２ブラシ上部、３ブラシ下部、４固定用ネジ、１１縦軸ブラシ本体、１２横軸型回転ブラシ、１３ローラー
【図１】
2012035028.tif 000003
【図２】
2012035028.tif 000004
【図３】
2012035028.tif 000005
【図４】
2012035028.tif 000006